(57)【要約】【課題】  試聴者とスピーカユニットとの相対位置を一定として、試聴条件を一定とすることができる。【解決手段】  複数のスピーカユニット１ａ〜１ｅを備え、ユーザにより選択された試聴スピーカユニットから音声信号に基づく音声を出力するスピーカユニット試聴装置１０において、前記ユーザの指示に基づいて前記複数のスピーカユニット１ａ〜１ｅから、少なくとも一つのスピーカユニットを前記試聴スピーカユニットとして選択するスピーカユニット選択手段と、前記試聴スピーカユニットを、試聴位置Ａに移動させるスピーカユニット移動手段１０ａと、を備えた。【選択図】      図１
2007053684.tif 000002
【特許請求の範囲】
【請求項１】
複数のスピーカユニットを備え、ユーザにより選択された試聴スピーカユニットから音声信号に基づく音声を出力するスピーカユニット試聴装置において、
前記ユーザの指示に基づいて前記複数のスピーカユニットから、少なくとも一つのスピーカユニットを前記試聴スピーカユニットとして選択するスピーカユニット選択手段と、
前記試聴スピーカユニットを、試聴位置に移動させるスピーカユニット移動手段と、
を備えたことを特徴とするスピーカユニット試聴装置。
【請求項２】
前記スピーカユニット移動手段は、前記複数のスピーカユニットが載置される回転体と、この回転体を駆動する駆動手段とを備え、
前記駆動手段により前記回転体を回転させて、前記試聴スピーカユニットを前記試聴位置に移動させることを特徴とする請求項１に記載のスピーカユニット試聴装置。
【請求項３】
前記複数のスピーカユニットは、スピーカユニット毎に略同一形状のスピーカボックスに収納されていることを特徴とする請求項１又は２に記載のスピーカユニット試聴装置。
【請求項４】
前記複数のスピーカユニットは、前記回転体の回転軸を中心とした同一円周上に配置されている請求項１乃至３のいずれかに記載のスピーカユニット試聴装置。
【請求項５】
前記回転体を回転させるに際し、前記試聴スピーカユニットを消音状態で回転させることを特徴とする請求項１乃至４のいずれかに記載のスピーカユニット試聴装置。
【発明の詳細な説明】
【技術分野】
【０００１】
本発明は、スピーカユニットが放音する音声の音質を試聴するためのスピーカユニット試聴装置に関する。
【背景技術】
【０００２】
近年、自動車は、カーオーディオ機器以外に、ＤＶＤ（Digital Versatile Disc）やＨＤＤ（Hard Disk Drive）によるカーナビゲーション装置を搭載したもの、それにチューナを付属してテレビジョン放送やＦＭラジオ放送を試聴できるようにしたもの、ＤＶＤプレーヤを搭載したものなど、搭載する試聴装置の種類が多様になっている。カー用品販売店等でこれらの自動車用試聴装置を展示する場合、固定の展示台上にひとつの商品ユニット毎に分けて置く、あるいは陳列台上に並べて置いていた。
【０００３】
スピーカユニットが放音する音声の音質を試聴する際には、スピーカユニットが放音する音声をそのまま試聴すると低音が打ち消されてしまうため、スピーカユニットの前面の空間と背面の空間とを遮断し、バッフル効果を確保する必要がある。そのため、一般的に、何らかのスピーカボックスにスピーカユニットを取り付けて試聴していた（例えば、特許文献１参照）。
【０００４】
一つのスピーカボックスを、複数のスピーカユニットで共用した場合には、スピーカ背面空間を共用するため、試聴しているスピーカユニット以外のスピーカユニットがパッシブラジエータとして働き、厳密にはスピーカユニットそのものが放音する音声の音質ではなくなってしまう。このため、スピーカユニットは個別のスピーカボックスに収納され、スピーカユニットが放音する音声の比較試聴を行う場合、従来では、図７に示すようにスピーカユニットを横置きに並べたり、図８に示すように縦置きに並べたりしていた。
【特許文献１】特開２００５−１５１３５６号公報
【発明の開示】
【発明が解決しようとする課題】
【０００５】
しかしながら、上述した構成では、試聴するスピーカユニットを切り替える度に、試聴者とスピーカユニットとの相対位置が変化してしまうと共に、スピーカユニットの試聴室内における位置も変化してしまい、スピーカユニットが放音する音声の音圧や音質が変化してしまう。例えば、図７では、試聴室１１５において、アンプ１１８、及び試聴音源１１７に接続され、横並びに配置された４つの異なるスピーカユニットを、セレクタ１１６で切り替えて比較試聴する。図７では、スピーカユニットが、左からスピーカユニット１０１ａ、１０１ｂ、１０１ｃ、１０１ｄの順に中心線ＣＬを中心にスピーカユニットが並べられている。この場合、例えば、スピーカユニット１０１ａとスピーカユニット１０１ｂとを比較試聴するときには、試聴者１０７とスピーカユニット１０１ａ、１０１ｂとの距離が、それぞれ距離Ｄ１と距離Ｄ２とであり（Ｄ１＞Ｄ２）、スピーカユニット１０１ａの方が試聴者１０７からの距離が大きい。さらに、試聴者１０７が向いている中心線ＣＬ方向からのスピーカユニット１０１ａとスピーカユニット１０１ｂとの角度が、それぞれ角度Ａ１と角度Ａ２とであり（Ａ１＞Ａ２）、スピーカユニット１０１ａの方が中心線ＣＬ方向からの角度が大きい。これにより、例えスピーカユニット１０１ａとスピーカユニット１０１ｂとが同一スピーカユニットであっても、試聴者１０７はスピーカユニット１０１ａとスピーカユニット１０１ｂとが放音する音声が、異なった音質の音声に聞こえてしまう。
【０００６】
また、図８では、試聴室１３５において、アンプ１３８、及び試聴音源１３７に接続され、縦並びに配置された４つの異なるスピーカユニットを、セレクタ１３６で切り替えて比較試聴する。そして、スピーカユニットは、下からスピーカユニット１１１ａ、１１１ｂ、１１１ｃ、１１１ｄの順に試聴者からの水平線ＢＬから上方にスピーカユニットが並べられている。この場合、例えば、スピーカユニット１１１ｂとスピーカユニット１１１ｄとを比較試聴しようとすると、試聴者１２７との距離が、それぞれ距離Ｄ５と距離Ｄ６とであり（Ｄ５＜Ｄ６）、スピーカユニット１１１ｄの方が試聴者１２７からの距離が大きい。さらに、試聴者１２７が向いている水平線ＢＬ方向からの角度が、それぞれ角度Ａ３と角度Ａ４とであり（Ａ３＜Ａ４）、スピーカユニット１１１ｄの方が水平線ＢＬ方向からの角度が大きい。これにより、図７と同様に、例えスピーカユニット１１１ｂとスピーカユニット１１１ｄとが同一スピーカユニットであっても、試聴者１２７はスピーカユニット１１１ｂとスピーカユニット１１１ｄとが放音する音声が、異なった音質の音声に聞こえてしまう。
【０００７】
図７、図８に示すような構成では、スピーカユニットと試聴者１０７（１２７）との位置関係により、スピーカユニットが放音する音声の音圧や指向性による差が生じてしまい、同条件でそれぞれのスピーカユニットの比較試聴を行うことが困難であった。そして、例え試聴者がスピーカユニットを切り替えるのと同時に試聴するスピーカユニットの正面に移動したとしても、スピーカボックスの試聴室１１５（１３５）内における位置により、音質に差が生じてしまう。
【０００８】
本発明は、上述した事情に鑑みてなされたものであり、試聴者とスピーカユニットとの相対位置を一定として、試聴条件を一定とすることができるスピーカユニット試聴装置を提供することを目的とする。
【課題を解決するための手段】
【０００９】
本発明は、複数のスピーカユニットを備え、ユーザにより選択された試聴スピーカユニットから音声信号に基づく音声を出力するスピーカユニット試聴装置において、前記ユーザの指示に基づいて前記複数のスピーカユニットから、少なくとも一つのスピーカユニットを前記試聴スピーカユニットとして選択するスピーカユニット選択手段と、前記試聴スピーカユニットを、試聴位置に移動させるスピーカユニット移動手段と、を備えたことを特徴とする。
【００１０】
この場合において、前記スピーカユニット移動手段は、前記複数のスピーカユニットが載置される回転体と、この回転体を駆動する駆動手段とを備え、前記駆動手段により前記回転体を回転させて、前記試聴スピーカユニットを前記試聴位置に移動させてもよい。前記複数のスピーカユニットは、スピーカユニット毎に略同一形状のスピーカボックスに収納されていてもよい。前記複数のスピーカユニットは、前記回転体の回転軸を中心とした同一円周上に配置されていてもよい。前記回転体を回転させるに際し、前記試聴スピーカユニットを消音状態で回転させてもよい。
【発明の効果】
【００１１】
本発明によれば、試聴するスピーカユニットを切替えたとしても、試聴者とスピーカユニットとの相対位置を一定として、試聴条件を一定とすることができる。
【発明を実施するための最良の形態】
【００１２】
以下、図面を参照して本発明の実施の形態について説明する。
［１］第１実施形態
図１は、本発明の第一実施形態に係る試聴スピーカ切替装置１０の正面図である。この試聴スピーカ切替装置１０は、カー用品販売店等でスピーカユニットの比較試聴をするために用いられる。
試聴スピーカ切替装置１０は、矩形の本体１０ａの中に回転軸１３を中心に回転する円形の回転体２０が配置されている。この回転体２０は、仕切り５により形状、体積、材質等が同一である５つのスピーカボックス２ａ、２ｂ、２ｃ、２ｄ、２ｅに分割されている。
そして、スピーカボックス２ａ、２ｂ、２ｃ、２ｄ、２ｅの正面には、スピーカユニット１ａ、１ｂ、１ｃ、１ｄ、１ｅがそれぞれ配置されている。回転体２０の最上部がスピーカユニットの試聴位置Ａであり、スピーカユニットを試聴するときには、試聴するスピーカユニットが、回転体２０の試聴位置Ａに移動する。図１では、スピーカユニット１ａが試聴位置Ａに位置している。
【００１３】
図２は、試聴スピーカ切替装置１０を試聴室１５に配置した状態の横断面図である。
回転体２０の回転軸１３は、回転体２０の中心後部に配置されたモータ１４に接続されている。そして、このモータ１４が駆動し、回転体２０を回転させる。
モータ１４は、回転体２０の操作盤であるセレクタ１６に接続されている。試聴者７はセレクタ１６を操作して、回転体２０を回転させることにより、試聴するスピーカユニットが配置されたスピーカボックスを試聴位置Ａに移動させることができる。
【００１４】
セレクタ１６は、音声信号を増幅するアンプ１８に接続されており、このアンプ１８は、音声信号を出力する試聴音源１７に接続されている。ここで、試聴音源１７は、例えばＣＤプレイヤや、ＭＤプレイヤ等の音声出力装置である。
アンプ１８は、試聴音源１７から音声信号を取得し、取得した音声信号を増幅させ、セレクタ１６に出力する。セレクタ１６は、試聴音源１７から取得した音声信号を、試聴スピーカ切替装置１０に出力する。さらに、本体１０ａには回転体２０の回転位置を検出する位置センサ（図示せず）が設けられており、セレクタ１６は、位置センサから出力された位置信号の処理、及び、音声信号の出力をミュート（消音）する制御部（図示せず）を備える。
【００１５】
スピーカユニット１ａ、１ｂ、１ｃ、１ｄ、１ｅは、それぞれケーブル３ａ、３ｂ、３ｃ、３ｄ、３ｅを介して、回転体２０背面内側に配置されたボックス内接点４ａ、４ｂ、４ｃ、４ｄ、４ｅに接続されている。また、試聴位置Ａの背面には、ボックス外接点１１が本体１０ａに配置されている。ボックス内接点４ａは、このボックス外接点１１と接触した状態で配置されており、ボックス外接点１１とボックス内接点４ａとは通電状態となる。このボックス外接点１１は、セレクタ１６に接続されており、セレクタ１６から試聴スピーカ切替装置１０に出力された音声信号は、ボックス内接点４ａ、ケーブル３ａを介してスピーカユニット１ａに出力される。そして、スピーカユニット１ａはセレクタ１６から取得した音声信号に基づく音声を放音する。
【００１６】
図３は、試聴スピーカ切替装置１０を試聴室１５に配置した状態の縦断面図である。
ボックス外接点１１に接触しているボックス内接点は、試聴位置Ａにあるボックス内接点４ａだけである。
しかし、回転体２０が回転し、ボックス内接点４ａが回転体２０と共に回転すると、ボックス外接点１１とボックス内接点４ａとが接触しなくなるため、非通電状態となる。
回転体２０が回転し、例えば、スピーカボックス２ａの隣に設けられたスピーカボックス２ｂが、試聴位置Ａに来ると、ボックス外接点１１とスピーカボックス２ｂのボックス内接点４ｂとが接触し、通電状態となる。そして、スピーカユニット１ｂは、セレクタ１６から試聴スピーカ切替装置１０に出力された音声信号に基づく音声を放音し、試聴者７は、スピーカユニット１ｂから放音された音声を試聴することができる。
【００１７】
試聴者７がセレクタ１６により、試聴スピーカユニットの切替え操作すると、先ず、セレクタ１６は、音声信号の出力をミュートする。次に、セレクタ１６は、モータ１４により回転体２０を回転させる。このとき、ボックス外接点１１とボックス内接点４ａとが接触しなくなると共に、スピーカボックス２ｂが試聴位置Ａに移動し、ボックス外接点１１とボックス内接点４ｂとが接触して通電状態となる。
スピーカボックス２ｂが試聴位置Ａに移動し、ボックス外接点１１とボックス内接点４ｂとが接触すると、セレクタ１６は位置センサにより回転体２０の位置は、いずれかのボックス内接点がボックス外接点１１と接触する位置にあることを確認し、ミュートを解除する。そして、セレクタ１６からスピーカユニット１ｂに音声信号が出力され、スピーカユニット１ｂは、この音声信号に基づく音声を放音する。
【００１８】
本構成では、試聴するスピーカユニットが試聴位置Ａに移動するため、試聴するスピーカユニットを変更したときであっても、試聴者７とスピーカユニットとの相対位置が常に一定である。これにより、複数のスピーカユニットを比較試聴する場合に、試聴スピーカ切替装置１０に配置された全てのスピーカユニットが、同条件で比較試聴を行うことができる。さらに、試聴者７と試聴室１５との相対位置も常に一定とすることができ、試聴室１５の部屋環境による影響を受けることがなく、同一環境条件で試聴することができるため、より理想的な比較試聴を行うことができる。
また、セレクタ１６は、回転体２０が回転するときに、音声信号の出力をミュートする。このため、ボックス外接点１１に接触するボックス内接点が切り替わる際に生じるノイズの放音を防止することができる。
【００１９】
［２］第２実施形態
図４は、本発明の第二実施形態に係る試聴スピーカ切替装置４０の正面図である。この試聴スピーカ切替装置４０は、カー用品販売店等でスピーカユニットの比較試聴をするために用いられる。
試聴スピーカ切替装置４０は、フレーム３２の上部を亘る回転軸３３を備え、この回転軸３３を中心に回転する五角形断面の回転体５０が配置されている。この回転体５０は、仕切り５５（図６）により形状、体積、材質等が同一である５つのスピーカボックス２２ａ、２２ｂ、２２ｃ、２２ｄ、２２ｅ（図６）に分割されている。
そして、スピーカボックス２２ａ、２２ｂ、２２ｃ、２２ｄ、２２ｅの外周面には、スピーカユニット２１ａ、２１ｂ、２１ｃ、２１ｄ、２１ｅがそれぞれ配置されている。回転体５０の正面がスピーカユニットの試聴位置Ｂであり、スピーカユニットを試聴するときには、試聴するスピーカユニットの放音面が水平方向を向くように、試聴位置Ｂに移動する。図４では、スピーカユニット２１ａが試聴位置Ｂに位置している。
【００２０】
図５は、試聴スピーカ切替装置４０を試聴室３５に配置した状態の横断面図である。
回転体５０の回転軸３３は、駆動力を伝達させるベルト３９を介して試聴スピーカ切替装置４０の後部に配置されたモータ３４に接続されている。そして、このモータ３４が駆動し、ベルト３９を介して回転体５０を回転させる。
モータ３４は、回転体５０の操作盤であるセレクタ３６に接続されている。試聴者２７はセレクタ３６を操作して、回転体５０を回転させることにより、試聴するスピーカユニットが配置されたスピーカボックスを試聴位置Ｂに移動させることができる。
【００２１】
セレクタ３６は、音声信号を増幅するアンプ３８に接続されており、このアンプ３８は、音声信号を出力する試聴音源３７に接続されている。ここで、試聴音源３７は、例えばＣＤプレイヤや、ＭＤプレイヤ等の音声出力装置である。
アンプ３８は、試聴音源３７から音声信号を取得し、取得した音声信号を増幅させ、セレクタ３６に出力する。セレクタ３６は、試聴音源３７から取得した音声信号を、試聴スピーカ切替装置４０に出力する。さらに、フレーム３２には回転体５０の回転位置を検出する位置センサ（図示せず）が設けられており、セレクタ３６は、位置センサから出力された位置信号の処理、及び、音声信号の出力をミュート（消音）する制御部（図示せず）を備える。
【００２２】
スピーカユニット２１ａ、２１ｂ、２１ｃ、２１ｄ、２１ｅは、それぞれケーブル２３ａ、２３ｂ、２３ｃ、２３ｄ、２３ｅを解して、回転体５０背面内側に配置されたボックス内接点２４ａ、２４ｂ、２４ｃ、２４ｄ、２４ｅに接続されている。また、試聴位置Ｂの背面には、ボックス外接点１１が本体１０ａに配置されている。ボックス内接点２４ａは、このボックス外接点３１と接触した状態で配置されており、ボックス外接点３１とボックス内接点２４ａとは通電状態となる。このボックス外接点３１は、セレクタ３６に接続されており、セレクタ３６から試聴スピーカ切替装置４０に出力された音声信号は、ボックス内接点２４ａ、ケーブル２３ａを介してスピーカユニット２１ａに出力される。そして、スピーカユニット２１ａはセレクタ３６から入力された音声信号に基づく音声を放音する。
【００２３】
図６は、試聴スピーカ切替装置４０を試聴室３５に配置した状態の縦断面図である。
ボックス外接点３１に接触しているボックス内接点は、試聴位置Ｂにあるボックス内接点２４ａだけである。
しかし、回転体５０が回転し、ボックス内接点２４ａが回転体５０と共に回転すると、ボックス外接点３１とボックス内接点２４ａとが接触しなくなるため、非通電状態となる。
回転体５０が回転し、例えば、スピーカボックス２２ａの隣に設けられたスピーカボックス２２ｂが、試聴位置に来ると、ボックス外接点３１とスピーカボックス２２ｂのボックス内接点２４ｂとが接触しＢ、通電状態となる。そして、スピーカユニット２１ｂは、セレクタ３６から試聴スピーカ切替装置４０に出力された音声信号に基づく音声を放音し、試聴者２７は、スピーカユニット２１ｂから放音された音声を試聴することができる。
【００２４】
試聴者２７がセレクタ３６により、試聴スピーカユニットの切替え操作すると、先ず、セレクタ３６は、音声信号の出力をミュートする。次に、セレクタ３６は、モータ３４により回転体５０を回転させる。このとき、ボックス外接点３１とボックス内接点２４ａとが接触しなくなると共に、スピーカボックス２２ｂが試聴位置Ｂに移動し、ボックス外接点３１とボックス内接点２４ｂとが接触して通電状態となる。
スピーカボックス２２ｂが試聴位置Ｂに移動し、ボックス外接点３１とボックス内接点２４ｂとが接触すると、セレクタ３６は位置センサにより回転体５０の位置は、いずれかのボックス内接点がボックス外接点３１と接触する位置にあることを確認し、ミュートを解除する。そして、セレクタ３６からスピーカユニット２１ｂに音声信号が出力され、スピーカユニット２１ｂは、この音声信号に基づく音声を放音する。
【００２５】
この実施形態によっても、試聴するスピーカユニットが試聴位置Ｂに移動するため、試聴するスピーカユニットを変更したときであっても、試聴者２７とスピーカユニットとの相対位置が常に一定であり、複数のスピーカユニットを比較試聴する場合に、全てのスピーカユニットが、同条件で比較試聴を行うことができる。さらに、試聴者２５と試聴室３５との相対位置も常に一定とすることができ、試聴室３５の部屋環境による影響を受けることがなく、同一環境条件で試聴することができるため、より理想的な比較試聴を行うことができる。
また、セレクタ１６が出力する音声信号は、回転体５０が回転するときに、音声信号の出力をミュートする。このため、ボックス外接点１１に接触するボックス内接点が切り替わる際に生じるノイズの放音を防止することができる。
【００２６】
以上、一実施形態に基づいて本発明を説明したが、本発明は、これに限定されるものではない。例えば、上記構成において、セレクタが備える制御部により、試聴スピーカからの音声の放音をミュートしているが、これに限らず、試聴音源あるいはアンプにより音声の放音をミュート、あるいは減音してもよい。
上記実施形態では、一つのスピーカボックスに一つのスピーカユニットを配置しているが、これに限らず、例えば、一つのスピーカボックスに、複数のスピーカユニットで音域を分担した構成、左右にスピーカユニットを配置してステレオ音声を放音する構成であってもよい。
【図面の簡単な説明】
【００２７】
【図１】本発明の一実施形態に係る試聴スピーカ切替装置の外観を示す正面図である。
【図２】試聴スピーカ切替装置を試聴室に配置した状態の横断面図である。
【図３】試聴スピーカ切替装置を試聴室に配置した状態の縦断面図である。
【図４】第２実施形態を示す図１相当図である。
【図５】第２実施形態を示す図２相当図である。
【図６】第２実施形態を示す図３相当図である。
【図７】従来のスピーカユニット試聴装置による図２相当図である。
【図８】従来のスピーカユニット試聴装置による図３相当図である。
【符号の説明】
【００２８】
１ａ〜１ｅ  スピーカユニット
２ａ〜２ｅ  スピーカボックス
７  試聴者（ユーザ）
１０  試聴スピーカ切替装置（スピーカユニット試聴装置）
１０ａ  本体（スピーカユニット移動手段）
１３  回転軸
１４  モータ（駆動手段）
１６  セレクタ（スピーカユニット選択手段）
２０  回転体
Ａ  試聴位置
【図１】
2007053684.tif 000003
【図２】
2007053684.tif 000004
【図３】
2007053684.tif 000005
【図４】
2007053684.tif 000006
【図５】
2007053684.tif 000007
【図６】
2007053684.tif 000008
【図７】
2007053684.tif 000009
【図８】
2007053684.tif 000010